(57)【要約】【課題】適量の水をシンクに貯めることができ、シンクから水が溢れないようにしたシンク検査具を提供する。【解決手段】  溢水筒２０の下端部２１にシンクの排水口に嵌まる輪形の嵌合部３０を固設し、該嵌合部３０の上方に、該溢水筒２０の外周に可撓性のある弁板４０を嵌合させ、該溢水筒２０の上端は溢水口２５とし、シンクの排水口に前記嵌合部３０を嵌め、前記弁板４０がシンクの底面に密着するようシンク検査具１０を装着し、水道栓を開けてシンク内に水を貯め、前記溢水口２５の高さまでの水位に達した後は水が溢水筒２０内に溢れて排水することにより、水がシンクの開口から溢れないようにする。【選択図】図１
2016104933.tif 000002
【特許請求の範囲】
【請求項１】
流しシンクの排水口を塞いでシンク内に水を貯められるようにし、水を貯めた後、取り除いたときに排水の状態を確認するためのシンク検査具であって、
溢水筒の下端部にシンクの排水口に嵌まる輪形の嵌合部を固設し、該嵌合部の上方に、該溢水筒の外周に可撓性のある弁板を嵌合させ、該溢水筒の上端は溢水口とし、
シンクの排水口に前記嵌合部を嵌め、前記弁板がシンクの底面に密着するようシンク検査具を装着し、水道栓を開けてシンク内に水を貯め、前記溢水口の高さまでの水位に達した後は水が溢水筒内に溢れて排水することにより、水がシンクの開口から溢れないようにすることを特徴とするシンク検査具。
【請求項２】
前記嵌合部はシンクの排水口に緩く嵌まり込み、前記弁板は、シンク内に貯まった水の水圧によりシンクの底面に密着する程度の可撓性を有することを特徴とする請求項１に記載のシンク検査具。
【請求項３】
前記溢水筒の下端部に嵌合する保持部材を固設し、前記嵌合部は該保持部材に螺合させ、該嵌合部と該保持部材の間に前記弁板を挟持したことを特徴とする請求項１に記載のシンク検査具。
【発明の詳細な説明】
【技術分野】
【０００１】
本発明は、流しシンクの排水口を塞いでシンク内に水を貯められるようにし、水を貯めた後、取り除いたときに排水の状態を確認するためのシンク検査具に関する。
【背景技術】
【０００２】
従来の技術としては、例えば特許文献１に示すようなものがある。
すなわち、特許文献１には、流しシンクの排水口に排水トラップを設けるとともに、シンクの内壁の上部に該排水トラップにつながるオーバーフロー排水口を備えた技術が開示されている。
【先行技術文献】
【特許文献】
【０００３】
【特許文献１】特開２０１０−００７３５８号公報
【発明の概要】
【発明が解決しようとする課題】
【０００４】
特許文献１のようにオーバーフロー排水口を備える場合もあるが、近来の構造ではこのようなオーバーフロー排水口は備えず、シンクの底に排水口だけを設けるものも多い。シンクの底の排水口に栓をし、所定量の水を貯めてから栓を抜き、排水の状況を確認検査することが行われている。
【０００５】
しかしながら、このような従来の技術では、オーバーフロー排水口を備えないものでは、所定量の水を貯めるよう監視する必要があり、監視を怠るとシンクが溢れて周りを水浸しにする恐れがある。また特許文献１のようにオーバーフロー排水口を備えたものでは、シンクが溢れる恐れはないが、監視を怠るとオーバーフロー排水口まで水位が達し、必要以上に水を貯める無駄なことになるという問題点があった。
【０００６】
本発明は、このような従来の技術が有する問題点に着目してなされたもので、適量の水をシンクに貯めることができ、オーバーフロー排水口を備えない構造のシンクでも、シンクから水が溢れないようにしたシンク検査具を提供することを目的としている。
【課題を解決するための手段】
【０００７】
かかる目的を達成するための本発明の要旨とするところは、次の各項の発明に存する。
［１］  流しシンクの排水口を塞いでシンク内に水を貯められるようにし、水を貯めた後、取り除いたときに排水の状態を確認するためのシンク検査具（１０）であって、
溢水筒（２０）の下端部（２１）にシンクの排水口に嵌まる輪形の嵌合部（３０）を固設し、該嵌合部（３０）の上方に、該溢水筒（２０）の外周に可撓性のある弁板（４０）を嵌合させ、該溢水筒（２０）の上端は溢水口（２５）とし、
シンクの排水口に前記嵌合部（３０）を嵌め、前記弁板（４０）がシンクの底面に密着するようシンク検査具（１０）を装着し、水道栓を開けてシンク内に水を貯め、前記溢水口（２５）の高さまでの水位に達した後は水が溢水筒（２０）内に溢れて排水することにより、水がシンクの開口から溢れないようにすることを特徴とするシンク検査具（１０）。
【０００８】
［２］  前記嵌合部（３０）はシンクの排水口に緩く嵌まり込み、前記弁板（４０）は、シンク内に貯まった水の水圧によりシンクの底面に密着する程度の可撓性を有することを特徴とする項［１］に記載のシンク検査具（１０）。
【０００９】
［３］  前記溢水筒（２０）の下端部（２１）に嵌合する保持部材（３５）を固設し、前記嵌合部（３０）は該保持部材（３５）に螺合させ、該嵌合部（３０）と該保持部材（３５）の間に前記弁板（４０）を挟持したことを特徴とする項［１］に記載のシンク検査具（１０）。
前記本発明は、次のように作用する。  
【００１０】
シンク検査具（１０）は、流しシンクの排水口を塞いでシンク内に水を貯められるようにし、水を貯めた後、取り除いたときに排水の状態を確認するためのものである。
【００１１】
溢水筒（２０）の下端部（２１）に嵌合させて保持部材（３５）を固設し、間に弁板（４０）を挟持して嵌合部（３０）を保持部材（３５）に螺合させて組み立てる。
【００１２】
シンク検査具（１０）を使用するには、溢水筒（２０）の下端部（２１）の嵌合部（３０）がシンクの排水口に嵌まるよう設置する。すると、嵌合部（３０）の上方の溢水筒（２０）の外周に装着されている可撓性のある弁板（４０）がシンクの排水口の周りでシンクの底面に広がる。溢水筒（２０）は上端の溢水口（２５）を上にして、シンク内で縦に立ち上がった状態になる。
【００１３】
このように、シンクの排水口に嵌合部（３０）が嵌まり、弁板（４０）がシンクの底面に密着するよう装着される状態で、水道栓を開けてシンク内に水を貯めると、弁板（４０）と溢水筒（２０）でせき止められて、シンク内に水が貯まる。
溢水口（２５）の高さまでの水位に達した後は、水が溢水筒（２０）内に溢れてシンクの排水口から排水され、水がシンクの開口から溢れることがない。
【００１４】
嵌合部（３０）はシンクの排水口に緩く嵌まり込むので、厳密な位置決めをしなくても容易にシンク検査具（１０）を装着できる。弁板（４０）は、シンク内に貯まった水の水圧によりシンクの底面に密着する程度の可撓性を有しているので隙間ができて水が漏れることがない。
【００１５】
所定量以上にシンク内に水が貯まった状態でシンク検査具（１０）をシンクの排水口から取り外すと貯まった水がシンクの排水口に流れ込んで排水される。排水状況を観察して異常がないかを検査する。
【発明の効果】
【００１６】
本発明に係るシンク検査具によれば、適量の水をシンクに貯めることができ、オーバーフロー排水口を備えない構造のシンクでも、シンクから水が溢れないようにすることができる。これにより、シンクの検査を容易にすることができ、監視する等の手間を省くことができる。
【図面の簡単な説明】
【００１７】
【図１】本発明の一実施の形態に係るシンク検査具の縦断面図である。
【図２】本発明の一実施の形態に係るシンク検査具の正面図である。
【図３】本発明の一実施の形態に係るシンク検査具の平面図である。
【図４】本発明の一実施の形態に係るシンク検査具の底面図である。
【図５】本発明の一実施の形態に係るシンク検査具を上方から見た斜視図である。
【図６】本発明の一実施の形態に係るシンク検査具を下方から見た斜視図である。
【発明を実施するための形態】
【００１８】
以下、図面に基づき本発明の好適な一実施の形態を説明する。
各図は本発明の一実施の形態を示している。  
【００１９】
図に示すように、シンク検査具１０は、流しシンクの排水口を塞いでシンク内に水を貯められるようにし、水を貯めた後、取り除いたときに排水の状態を確認するためのものである。
【００２０】
溢水筒２０の下端部２１にシンクの排水口に嵌まる輪形の嵌合部３０が固設され、嵌合部３０の上方に、溢水筒２０の外周に可撓性のある弁板４０を嵌合させて成る。溢水筒２０の上端は溢水口２５が開口している。溢水筒２０はプラスチック製の筒が適当であり、弁板４０はゴム板が適している。
【００２１】
嵌合部３０はシンクの排水口に緩く嵌まり込む寸法に設定され、弁板４０は、シンク内に貯まった水の水圧によりシンクの底面に密着する程度の可撓性を有している。
【００２２】
溢水筒２０の下端部２１に内側から嵌合する保持部材３５が固設され、嵌合部３０は保持部材３５に螺合する構造になっている。そして、嵌合部３０と保持部材３５の間に弁板４０を挟持している。
【００２３】
保持部材３５の基筒部３６が溢水筒２０の下端部に内側から嵌合され、雄ねじである螺合部３７が下端部２１から下方に突出している。嵌合部３０は雌ねじ部３１に押え片３２を設けて成る。保持部材３５の基筒部３６と嵌合部３０の押え片３２の間に弁板４０の内周部４１を挟持して、保持部材３５の螺合部３７に嵌合部３０の雌ねじ部３１が螺合して締結されている。水密性を持たせるため、嵌合部３０の雌ねじ部３１と保持部材３５の螺合部３７の端部との間にＯリング３３が介装されている。
【００２４】
これにより、シンクの排水口に嵌合部３０を嵌め、弁板４０がシンクの底面に密着するようシンク検査具１０を装着し、水道栓を開けてシンク内に水を貯め、溢水口２５の高さまでの水位に達した後は水が溢水筒２０内に溢れて排水することにより、水がシンクの開口から溢れないようになっている。
【００２５】
次に作用を説明する。  
シンク検査具１０は、流しシンクの排水口を塞いでシンク内に水を貯められるようにし、水を貯めた後、取り除いたときに排水の状態を確認する。
溢水筒２０の下端部２１に嵌合させて保持部材３５を固設し、間に弁板４０を挟持して嵌合部３０を保持部材３５に螺合させて組み立てる。
【００２６】
すなわち、溢水筒２０の下端部２１に保持部材３５の基筒部３６を内側から嵌合させて固定する。保持部材３５の螺合部３７が溢水筒２０の下端部２１から下方に突出する。
【００２７】
保持部材３５の螺合部３７に弁板４０の内周部４１を嵌め、嵌合部３０の雌ねじ部３１を螺合させて締め込むと、弁板４０の内周部４１が保持部材３５の基筒部３６と嵌合部３０の押え片３２の間に挟持される。
【００２８】
シンク検査具１０を使用するには、溢水筒２０の下端部２１の嵌合部３０がシンクの排水口に嵌まるよう設置する。緩く嵌まり込むので、容易に嵌まる。すると、嵌合部３０の上方の溢水筒２０の外周に装着されている可撓性のある弁板４０がシンクの排水口の周りでシンクの底面に広がる。溢水筒２０は上端の溢水口２５を上にして、シンク内で縦に立ち上がった状態になる。
このように、シンクの排水口に嵌合部３０を嵌め、弁板４０がシンクの底面に密着するよう装着される。
【００２９】
そこで、水道栓を開けてシンク内に水を貯めると、弁板４０と溢水筒２０でせき止められて、シンク内に水が貯まる。溢水口２５の高さまでの水位に達した後は、水が溢水筒２０内に溢れてシンクの排水口から排水され、水がシンクの開口から溢れることがない。
【００３０】
嵌合部３０はシンクの排水口に緩く嵌まり込むので、厳密な位置決めをしなくても容易にシンク検査具１０を装着できる。弁板４０は、シンク内に貯まった水の水圧によりシンクの底面に密着する程度の可撓性を有しているので隙間から水が漏れることがない。
【００３１】
所定量以上にシンク内に水が貯まった状態でシンク検査具１０をシンクの排水口から取り外すと貯まった水がシンクの排水口に流れ込んで排水される。排水状況を観察して異常がないかを検査する。
【符号の説明】
【００３２】
１０…シンク検査具
２０…溢水筒
２１…下端部
２５…溢水口
３０…嵌合部
３１…雌ねじ部
３２…押え片
３３…Ｏリング
３５…保持部材
３６…基筒部
３７…螺合部
４０…弁板
４１…内周部
【図１】
2016104933.tif 000003
【図２】
2016104933.tif 000004
【図３】
2016104933.tif 000005
【図４】
2016104933.tif 000006
【図５】
2016104933.tif 000007
【図６】
2016104933.tif 000008